(57)【要約】美容室において使用される、頭髪を水洗いまたは洗浄するための後方洗浄装置（１）であって、洗浄槽（２）、首受入れ凹部（３）、および高さ調節装置（４、４．１、４．２）を備え、高さ調節装置（４、４．１、４．２）は、首受入れ凹部（３）を有する首収容洗浄槽部分（５）に結合され、首収容洗浄槽部分（５）は洗浄槽（２）の上を越えてのびている。【選択図】  図１
0003101501.tif 000002
【実用新案登録請求の範囲】
【請求項１】
美容室において使用される、頭髪を水洗いまたは洗浄するための後方洗浄装置であって、洗浄槽、首受入れ凹部、および高さ調節装置を備えたものにおいて、
前記高さ調節装置（４、４．１、４．２）は、首受入れ凹部（３）を備えた首収容後方洗浄槽部分（５）に結合され、前記首収容後方洗浄槽部分（５）は、前記洗浄槽（２）の上を越えてのびていることを特徴とする後方洗浄装置。
【請求項２】
手動式の高さ調節装置（４．１）を備えていることを特徴とする請求項１に記載の後方洗浄装置。
【請求項３】
前記手動式の高さ調節装置（４．１）は、摩擦装置（７）を備えていることを特徴とする請求項２に記載の後方洗浄装置。
【請求項４】
前記手動式の高さ調節装置（４．１）は、クランク駆動機構を備えていることを特徴とする請求項２に記載の後方洗浄装置。
【請求項５】
前記手動式の高さ調節装置（４．１）は、ロック装置（８）に関係付けられ、前記ロック装置（８）は、首による圧力によって前記首収容洗浄槽部分（５）に作用するようになっていることを特徴とする請求項２に記載の後方洗浄装置。
【請求項６】
モータ駆動式の高さ調節装置（４．２）が備えられていることを特徴とする請求項１に記載の後方洗浄装置。
【請求項７】
前記首収容洗浄槽部分（５）は、プラスチックから形成されていることを特徴とする請求項１に記載の後方洗浄装置。
【請求項８】
前記洗浄槽（２）は、上薬を塗られて焼き付けられた微粒子耐火粘土または高圧圧縮セラミックから形成されていることを特徴とする請求項１に記載の後方洗浄装置。
【考案の詳細な説明】
【技術分野】
【０００１】
本考案は、美容（理容）室において使用される、頭髪を水洗いまたは洗浄するための後方洗浄装置であって、洗浄槽、首受入れ凹部および高さ調節装置を備えた後方洗浄装置に関するものである。
【背景技術】
【０００２】
今日、美容（理容）室において最も普及した洗髪法は、後ろ向き洗髪法であり、この方法によれば、顧客は、椅子に座らされ、上半身を後ろへ持たせかけることによって、頭部を後ろ向きに洗浄槽の上に配置するように支持される。そのとき、顧客の頭部は、洗浄槽の上方において静止状態におかれ、首は、その両側から首受入れ凹部の首収容洗浄槽部分によって支えられる（首支持点）。このために使用される洗浄槽は、首支持点において、角形状に形成された左右の大きな湾曲部を際立たせている。この湾曲部は、横たわるときの快適さと、頭部の固定安定性の両方を向上させるために用いられる。角形状の湾曲部は、洗浄槽内における水の噴射またはすすぎを逸らせなければならない。幾つかの毛髪化粧品内に含まれ強い反応性を有する化学物質に対する高い耐性を考慮に入れるため、上薬をかけ焼き付けられた微粒子耐火粘土または高圧圧縮セラミック製の洗浄槽が圧倒的に用いられている。椅子に腰掛けた顧客だけでなく、大抵は立っている美容師（理容師）の異なる身長に人間工学的に適合させるために、この種の洗浄槽は機械的に運動可能に形成されている。最も一般的に普及している方法は、洗浄槽を揺動継手によって垂直面内で旋回可能にするという方法である。しかしながら、この方法は、非常にコストがかかり、洗浄槽は、例えば、ガス圧弾性体の助けを借りて引き出し機構を用いて上げ下げされなければならない。揺動継手機構は、その大きな傾斜角によって水を美容師（理容師）側にオーバーフローさせる可能性がある。大抵の引き出し機構は、しばしば修理を必要とし、操作が簡単ではない。洗浄槽内における首受入れ凹部、ジョイント部を備えた排水口および装置の機構のサイズが洗浄槽内の容積を制限し、それ故、洗浄槽自体が容積の小さなものに制限されてしまう。
【考案の開示】
【考案が解決しようとする課題】
【０００３】
したがって、本考案の課題は、簡単かつコスト的に有利な高さ調節装置を実現するような後方洗浄装置を提供することにある。また、本考案の別の課題は、洗浄槽の容積が洗浄槽内の首受入れ凹部および高さ調節装置の機構のサイズによって縮小されることがない後方洗浄装置を提供することにある。
【課題を解決するための手段】
【０００４】
この課題を解決するため、本考案によれば、首受入れ凹部を備えた首収容洗浄槽部分が、高さ調節装置に結合され、首収容洗浄槽部分が、洗浄槽の上を越えてのびているような後方洗浄装置が提供される。このように首受入れ凹部を備えた首収容洗浄槽部分を本来の後方洗浄装置の洗浄槽から分離したことによって、首収容洗浄槽部分を比較的軽量化することができる。それによって、コスト的に有利な高さ調節装置を構成することができる。さらには、洗浄槽の内部構造において、大きな遊び空間を生じさせることができ、それによって、もはや洗浄槽内のネックラインおよび高さ調節装置の機構のサイズによって、洗浄槽の内側空間が縮小されることはない。
【０００５】
高さ調節装置は、摩擦装置を備えた手動式の高さ調節装置として構成することもでき、それによって、首収容洗浄槽部分の手動的に調節された高さは、予め決められた位置において保持される。あるいは、クランク駆動機構を用いることによって、同様のことを達成することもできる。手動式の高さ調節装置が、首による圧力によって首収容洗浄槽部分に作用するロック装置に関係付けられることによって、首収容洗浄槽部分の調節された高さ位置が保証される。
【０００６】
あるいは、モータ駆動式の高さ調節装置とすることもでき、この装置は、摩擦およびロック装置の代わりをする。
【０００７】
首収容洗浄槽部分が、プラスチックから形成されることによつて、首収容洗浄槽部分を非常に軽量にすることができ、その結果、小さな寸法で、簡単な構造を有し、かつコンパクトな高さ調節装置がもたらされ、さらに、冷たい感触を生じず、かつ質強度を低下させることがないというる効果も得られる。
【０００８】
後方洗浄装置の洗浄槽を上薬を塗られ焼き付けられた微粒子耐火粘土または高圧圧縮セラミックから形成することにより、後方洗浄装置の洗浄槽内面の洗浄を容易にすることができるようにし、強い反応性を有する化学物質に対する耐性を高めることができる。
【考案を実施するための最良の形態】
【０００９】
以下、２つの実施例に基づいて、本考案の構成をより詳細に説明する。
図面には、美容（理容）室において使用される、頭髪を水洗いまたは洗浄するための後方洗浄装置１であって、洗浄槽２、首受入れ凹部３、および高さ調節装置４を備えた後方洗浄装置が示されている。高さ調節装置４は、首受入れ凹部３を有する首収容洗浄槽部分５に結合され、首収容洗浄槽部分５は、洗浄槽２の上を越えてのびている。首受入れ凹部３を有する首収容洗浄槽部分５を本来の洗浄槽２から分離したことによって、首収容洗浄槽部分５を比較的軽量にすることができ、それによって、高さ調節装置４をコスト的に有利に形成することが可能となる。さらには、洗浄槽の内側空間６の構造中に大きな遊び空間を生じさせることができ、そのため、洗浄槽２内の首受入れ凹部３および高さ調節装置４の機構のサイズによって、洗浄槽内側空間がもはや縮小されることはない。高さ調節装置４は、摩擦装置７を備えた手動式の高さ調節装置４．１として形成されることができ、それによって、首収容洗浄槽部分５の手動によって調節された高さは、予め決められた位置に保持される。あるいは、ここでは説明されないクランク駆動機構によって同様のことが達成することができる。手動式の高さ調節装置４．１が、首による圧力によって首収容洗浄槽部分５に作用するロック装置８に関係付けられることによって、首収容洗浄槽部分５の調節された高さ位置が保証される。あるいは、モータ駆動式の高さ調節装置４．２を備えるようにしてもよく、この場合、高さ調節装置４．２は、摩擦およびロック装置７、８の代わりをする。首収容洗浄槽部分５がプラスチックから形成されることによって、首収容洗浄槽部分５を非常に軽量にすることができ、その結果、高さ調節装置４、４．１、４．２を、小さく、簡単でかつコンパクトな構造にすることができ、さらには、顧客に冷たさを感じさせることがなく、しかも、材料強度は維持されるという効果を生じさせることができる。洗浄槽を上薬が塗られ焼き付けられた微粒子耐火粘土または高圧圧縮セラミックから形成されるとによって、洗浄槽２の内面を簡単に清掃することができ、しかも、強い反応性を有する化学物質に対する耐性を高めることができる。
【００１０】
図３には、機械的な高さ調節装置のより詳細な構造が示されており、この図において、２つの摩擦装置７が、軸９を介して２つの側部軸受１０と位置を固定した状態で回転可能に結合されている。摩擦装置７およびロック装置８の構造の詳細は、図４および図５に示されている。摩擦装置７として弾性を有するリング１１が用いられ、リング１１は、高さ調節装置４．１の２本の高さ調節棒１２を強固に取り巻いており、首収容洗浄槽部分５は、この摩擦力を克服するとともに、首収容洗浄槽部分５の自重によって、その高さが調整され得るようになっている。ロック装置８は、高さ調節棒１２がラック１３を有し、ラック１３が、首受入れ凹部３内に支えられた首によって、圧縮バネ１４の力に抗して、固定された位置に配置された歯車部分１５に係合するように構成されることによって実現される。それによって、首による荷重が及ぼされても、調節された高さは維持されることが保証される。
【００１１】
図１〜図３に示された機械的な高さ調節装置４．１の実施例の場合と同様、図６〜図８に示された電気モータ駆動式の高さ調節装置４．２を設けることも可能であり、この場合、高さを調節するために電気的に駆動する巻き上げ駆動モータ１６が備えられる。摩擦装置７の代わりに、ここでは、高さ調節棒１２のためのガイド１７だけが設けられ、巻き上げ駆動式モータのハウジング１６は、固定された位置に配置される。
【００１２】
図９は、図８のＩＸ−ＩＸ線に沿った断面図である。
図１０には、後方洗浄装置１の斜視図が示されている。
【図面の簡単な説明】
【００１３】
【図１】上側位置にある首収容洗浄槽部分および機械的な高さ調節装置を備えた後方洗浄装置の第一実施例の側断面図である。
【図２】図１の首収容洗浄槽部分が下側位置にあるときの側断面図である。
【図３】図２の高さ調節装置の別の方向から見た側断面図である。
【図４】摩擦およびロック装置の詳細を示す断面図である。
【図５】ロック位置にある図４の摩擦およびロック装置を示した図である。
【図６】上側位置にある首収容洗浄槽部分およびモータ駆動式高さ調節装置を備えた後方洗浄装置の第二の実施例の側断面図である。
【図７】図６の首収容洗浄槽部分が下側位置にある状態を示した側断面図である。
【図８】モータ駆動式高さ調節装置を示す別の方向から見た側断面図である。
【図９】図８のＩＸ−ＩＸ線に沿った断面図である。
【図１０】首収容洗浄槽部分を備えた完全な後方洗浄装置の斜視図である。
【符号の説明】
【００１４】
１  後方洗浄装置
２  洗浄槽
３  首受入れ凹部
４  高さ調節装置
４．１  手動式の高さ調節装置
４．２  モータ駆動式の高さ調節装置
５  首収容洗浄槽部分
６  洗浄槽内側空間
７  摩擦装置
８  ロック装置
９  軸
１０  軸受
１１  弾性を有するリング
１２  高さ調節棒
１３  ラック
１４  圧縮バネ
１５  歯車部分
１６  巻き上げ駆動式モータ
１７  ガイド
【図１】
0003101501.tif 000003
【図２】
0003101501.tif 000004
【図３】
0003101501.tif 000005
【図４】
0003101501.tif 000006
【図５】
0003101501.tif 000007
【図６】
0003101501.tif 000008
【図７】
0003101501.tif 000009
【図８】
0003101501.tif 000010
【図９】
0003101501.tif 000011
【図１０】
0003101501.tif 000012